(57)【要約】【課題】実データに対するシーン削除作業に関わる処理数を削減して編集時間を短縮することにより、ユーザーの利便性を向上させた記録媒体再生装置を提供する。【解決手段】ハードディスクに記録されているコンテンツに対してその内容の編集を行う場合において、削除シーンの始点と終点とを指定することにより削除シーンの範囲を設定する。設定された削除シーンのデータは、削除実行命令を受け付けることにより、ハードディスク上より物理的に消去される。この際、ユーザーは削除シーンの指定を行った直後に、コンテンツの更新を行うことなく、継続して削除シーンの選択を複数行うことが可能とする。選択された複数の削除シーンは一括して削除される。また、複数の空白部分が発生したコンテンツは、各削除シーンの前後のシーンが連結されることにより、新たな内容のコンテンツとして更新される。【選択図】図１
2007179658.tif 000002
【特許請求の範囲】
【請求項１】
映像データ及び音声データから構成される映像情報を記録媒体に記録する記録手段と、
前記映像情報から所望の範囲を削除する映像情報編集手段と、
前記映像情報編集手段において、削除する範囲の始点と終点とを指定することにより削除対象範囲を設定する削除対象範囲設定手段と、
前記映像情報編集手段において、前記削除対象範囲に該当するデータを前記記録媒体から削除することにより前記映像情報の更新を行う映像情報更新手段と、
を備えた記録媒体再生装置であって、
前記削除対象範囲設定手段において、一つの削除対象範囲を指定した後、前記映像情報に対して前記映像情報更新手段を実行することなく前記削除対象範囲設定手段の実行を継続することにより、複数の前記削除対象範囲を同時に設定可能であることと、
前記映像情報更新手段において、複数の前記削除対象範囲が設定されている場合において、複数の前記削除対象範囲のデータを前記記録媒体より一括して削除することと、
前記映像情報更新手段において、前記一括削除処理により複数の範囲が削除された前記映像情報を、時間順に連結させて一つの映像情報とすることと、
を特徴とする記録媒体再生装置。
【請求項２】
映像データ及び音声データから構成される映像情報を記録媒体に記録する記録手段と、
前記映像情報から所望の範囲を削除する映像情報編集手段と、
前記映像情報編集手段において、削除する範囲の始点と終点とを指定することにより削除対象範囲を設定する削除対象範囲設定手段と、
前記映像情報編集手段において、前記削除対象範囲に該当するデータを前記記録媒体から削除することにより前記映像情報の更新を行う映像情報更新手段と、
を備えた記録媒体再生装置であって、
前記削除対象範囲設定手段において、一つの削除対象範囲を指定した後、前記映像情報に対して前記映像情報更新手段を実行することなく前記削除対象範囲設定手段の実行を継続することにより、複数の前記削除対象範囲を同時に設定可能であることと、
を特徴とする記録媒体再生装置。
【請求項３】
前記映像情報更新手段において、複数の前記削除対象範囲が設定されている場合において、複数の前記削除対象範囲のデータを前記記録媒体より一括して削除することと、
前記映像情報更新手段において、前記一括削除処理により複数の範囲が削除された前記映像情報を、時間順に連結させて一つの映像情報とすることと、
を特徴とする請求項２に記載の記録媒体再生装置。
【発明の詳細な説明】
【技術分野】
【０００１】
本発明は、記録媒体再生装置に関するものであり、特に記録媒体に記録された所定のタイトルから所望のシーンを削除する編集モードを備えた記録媒体再生装置に関する。
【背景技術】
【０００２】
近年、テレビ等の映像装置において処理される映像および音声の記録および再生を行うための装置として、ＤＶＤ（Digital Versatile Disk）レコーダまたはＨＤＤ（Hard Disk Drive）レコーダ等のデジタル方式による映像情報処理装置が広く普及してきている。これらのデジタル方式の映像情報処理装置の機能の一つに、コンテンツ（映像情報）のあるシーンを削除する編集機能がある。この編集機能を用いれば、ユーザは録画したコンテンツから一部のシーン（例えばＣＭシーン等）を削除することができる。編集を行う方法としては、例えば削除するシーンの先頭と末尾とをユーザーが指定し、指定した部分のシーンのみを削除する方法等があげられる。しかしＣＭカットのように削除するシーンが比較的多い場合、一つ一つのシーンの先頭と末尾を手動で指定して削除するのは、非常に手間がかかるという問題があった。上記の問題を解決し、編集機能の利便性を向上させるために、従来より様々な提案がなされている。
【０００３】
上記の問題に関連して特許文献１では、記録したデータ（コンテンツ）について、各種編集内容を編集対象の実体データとは別の情報として記録管理する手段を有した記録再生装置が開示されている。特許文献１の記録再生装置は、映像や音声等の情報をデジタル或いはアナログ等の電気信号に変換して得られるデータを、ランダムアクセス可能なメディアに記録再生するマルチメディア情報の記録再生装置であり、記録したデータについて、各種編集内容を編集対象の実体データとは別の情報として記録管理する手段を有することを特徴としている。また、動画像もしくは音声等の時間軸に沿って再生する情報の一部分を削除するカット機能を備えている。カット機能においては、削除の始点及び終点を同一キー操作で設定可能である。またカット範囲を複数設定することも可能である
【０００４】
上記の特許文献１の発明によれば、ユーザは記録したデータを変更せずに安全に保存したまま、各種編集を行うことができるとともに、編集のやり直しを容易に行うこともできる。そしてこの操作を、視覚的に再生データの状態を容易に把握しながら作業を進めることができる。
【０００５】
また上記のレジューム機能に関連して特許文献２では、記録データ自体には手を加えることなく記録データの編集ができ、かつ編集した記録データを再生できる編集再生装置が開示されている。特許文献２の編集再生装置は、記録媒体に保存された記録データに対する編集情報を作成する編集手段と、前記編集情報を保存する保存手段と、前記編集情報にしたがって前記記録データを再生する実行手段とを備えたものである。編集手段を用いて、元の記録データを直接編集せずに、所望の編集内容に沿った編集情報を作成する。そして実行手段を用いて、編集情報にしたがって記録データを呼び出して編集内容に応じて処理し、処理された記録データを再生する。この編集後の記録データは保存されないので、元の記録データには手が加えられることはない。
【０００６】
上記の特許文献２の発明によれば、内部処理によって編集情報の作成、管理、実行を行うため、元の記録データを変更する必要がない。したがって、元の記録データを残したまま何度でも編集ができ、しかも編集した記録データを保存する必要がないため、記録媒体の空き容量を消費することがなく、多数の記録データを保存することが可能である。
【０００７】
上記の各文献に示されている従来のシーン編集機能について、フローチャートおよび画面図を用いて説明する。なおシーン編集機能とは、シーン削除等の編集処理を行う機能であり、例えばあるコンテンツ（映像情報）からＣＭ等の不要なシーンを削除するための機能である。削除対象のシーンを記録したデータは削除されるとともに、削除された前後のデータが結合されることにより、シーンの編集が行われる。
【０００８】
図９は、従来のシーン編集処理の処理フローを示したフローチャートである。図１０は、従来のシーン編集処理におけるシーン削除処理実行時のデータの変化を示したブロック図である。図１０の（ａ）において、矢印αで示されている範囲が、シーン削除前のコンテンツデータの長さである。この状態から図１０（ｂ）に示すように、データの一部（矢印βで示されている範囲）が削除対象として指定されると、指定された範囲のデータが消去され、結果として図１０の（ｃ）に矢印γで示す長さのデータとなる（なお、γ＝α−βである）。
【０００９】
また図１１から図１３は、従来のシーン編集処理を行うシーン編集画面の一例を示した画面図である。図１１から図１３までの画面遷移に関わる処理を、図９のフローチャートを用いて説明する。動画表示画面Ａ１には、編集対象のコンテンツの再生映像が表示される。処理開始当初、現在の再生位置を示す再生位置カーソルＢ１は、コンテンツ先頭に位置するように設定されている（Ｓ２１０）。コンテンツの再生が進むと共に、再生位置カーソルＢ１が時間スケールＢ２の範囲内で右方向へ移動し、図１１の状態となる。なお、再生しているコンテンツに対して早送り、或いは巻き戻しの指示を行うことにより、再生位置カーソルＢ１を右方向、或いは左方向に対して倍速移動させることが可能である。
【００１０】
コンテンツの再生中、もしくは再生一時停止中において図１１の削除開始位置指定ボタンＣ１が押下された（Ｓ２２０のStart Point）場合（例えばリモコンの十時キーにより前記ボタンが選択され、リモコンの決定ボタンが押下された場合等）、再生位置カーソルＢ１の現在位置が削除シーンの始点（図１２の削除開始位置Ｄ１）として設定される（Ｓ２３０）。なお、各シーン編集処理画面において、シーン削除キャンセルボタンＣ２が押下される（Ｓ２２０、Ｓ２４０、Ｓ２６０のReturn）ことにより、前記削除開始位置Ｄ１を破棄して、シーン編集処理を強制終了することが可能である。
【００１１】
図１１において削除開始位置指定ボタンＣ１が押下されたことにより、シーン編集画面は図１２に示す状態に遷移する。図１２においては、新たに削除開始位置キャンセルボタンＣ３と、削除終了位置指定ボタンＣ４が選択可能となっている。削除開始位置キャンセルボタンＣ３が押下される（Ｓ２４０のStart Point Cancel）ことにより、前記の削除開始位置Ｄ１がキャンセル（消去）される（Ｓ２４１）。削除開始位置Ｄ１が消去された場合、シーン選択画面は再び図１１に示す状態（Ｓ２２０）に遷移する。逆に削除終了位置指定ボタンＣ４が押下される（Ｓ２４０のEnd Point）ことにより、再生位置カーソルＢ１の現在位置が削除シーンの終点（削除終了位置）として設定される（Ｓ２５０）。
【００１２】
図１２において削除終了位置指定ボタンＣ４が押下されたことにより、シーン編集画面は図１３に示す状態に遷移する。図１３においては、決定された削除対象範囲β１が表示されるとともに、新たにシーン削除実行ボタンＣ５と、削除終了位置キャンセルボタンＣ６が選択可能となっている。削除終了位置キャンセルボタンＣ６が押下される（Ｓ２６０のEnd Delete）ことにより、前記の削除終了位置がキャンセル（消去）される。消去された場合、シーン選択画面は再び図１２に示す状態（Ｓ２４０）に遷移する。逆に、シーン削除実行ボタンＣ５が押下される（Ｓ２６０のUpdat）ことにより、削除対象範囲β１のシーンが消去され、コンテンツのアップデート（更新）が行われる（Ｓ２７０）。なおこの際、実際のデータに対する更新は行わず、アドレス情報操作によって削除対象範囲β１を再生対象外としすることにより、仮想的にシーン削除を行うことも可能である。
【特許文献１】特開２００１−１０１８３７号公報
【特許文献２】特開２００５−５６５２４号公報
【発明の開示】
【発明が解決しようとする課題】
【００１３】
しかしながら、特許文献１および特許文献２に代表される従来の記憶再生装置においては、編集作業においてあるシーンを削除すると、再生位置が随時コンテンツの先頭位置に戻る処理がなされていた。そのため、連続してシーン削除を行う場合、シーン削除後に再び削除対象シーンの先頭まで映像を早送りしなければならず、ユーザーにとって手間と時間が掛かかるという問題があった。しかしながら、特許文献１および特許文献２では、ユーザーがシーン削除に関わる時間を短縮する技術、つまりシーン削除に掛かる作業量を削減する技術については開示も示唆もなされていない。
【００１４】
また、特許文献１および特許文献２に開示されている記憶再生装置においては、記録媒体に記録されている実データ（映像データ）には変更を加えておらず、実データの管理情報（アドレス情報等）を用いて仮想的にシーン編集を行うようになっている。このため、例えばシーン削除を行ったとしても、削除対象の実データは依然として記録媒体に残っている。つまり編集処理によって実データを削除し、記憶媒体の空き容量を確保したい場合においては、十分な役割を果たすことができないという問題があった。
【００１５】
本発明は、上記の問題を解決するためになされたものであって、その目的は、実データに対するシーン削除作業に関わる処理数を削減して編集時間を短縮することにより、ユーザーの利便性を向上させた記録媒体再生装置を提供することにある。
【課題を解決するための手段】
【００１６】
上記目的を達成するために本発明の記録媒体再生装置は、
映像データ及び音声データから構成される映像情報を記録媒体に記録する記録手段と、
前記映像情報から所望の範囲を削除する映像情報編集手段と、
前記映像情報編集手段において、削除する範囲の始点と終点とを指定することにより削除対象範囲を設定する削除対象範囲設定手段と、
前記映像情報編集手段において、前記削除対象範囲に該当するデータを前記記録媒体から削除することにより前記映像情報の更新を行う映像情報更新手段と、
を備えた記録媒体再生装置であって、
前記削除対象範囲設定手段において、一つの削除対象範囲を指定した後、前記映像情報に対して前記映像情報更新手段を実行することなく前記削除対象範囲設定手段の実行を継続することにより、複数の前記削除対象範囲を同時に設定可能であることと、
を特徴としている。
【００１７】
この構成によると、ハードディスク（記録媒体）に記録されているコンテンツ（映像情報）に対してその内容の編集（例えば一部シーンの削除等）を行う場合において、削除シーン（削除対象範囲）の始点と終点とを指定することにより削除シーンの範囲を設定する。設定された削除シーンのデータは、削除実行命令を受け付けることにより、ハードディスク上より物理的に消去される。この際、ユーザーは削除シーンの指定を行った直後に、コンテンツの更新（削除実行命令の発効）を行うことなく、継続して削除シーンの選択を複数行うことを可能とする。
【００１８】
また、上記目的を達成するために本発明の映像情報処理装置は、
前記映像情報更新手段において、複数の前記削除対象範囲が設定されている場合において、複数の前記削除対象範囲のデータを前記記録媒体より一括して削除することと、
前記映像情報更新手段において、前記一括削除処理により複数の範囲が削除された前記映像情報を、時間順に連結させて一つの映像情報とすることと、
を特徴としている。
【００１９】
この構成によると、
コンテンツの編集処理において、ユーザーが複数の削除シーンを同時に指定した場合において、ユーザがコンテンツの更新（削除実行命令の発効）を行うことにより、選択されていた複数の削除シーンが一括して削除される。また、複数の空白部分が発生したコンテンツは、各削除シーンの前後のシーンが連結されることにより、新たな内容のコンテンツとして更新される。
【発明の効果】
【００２０】
本発明の第一の構成によれば、ユーザーがハードディスクに記録されているコンテンツの編集を行う場合において、削除対象のシーンを選択した直後、従来のようにコンテンツの更新（削除実行命令の発効）を行うことなく、引き続き削除シーンの選択を行うことが可能である。このため、従来のように削除シーンの選択を一回行うたびにコンテンツの更新を行い、かつコンテンツの頭からもう一度再生を行うことにより削除シーンの設定を行うといった一連の作業が不要となる。このようにユーザーにかかる作業量が削減されるため、ユーザーにとっての利便性が向上する。
【００２１】
本発明の第二の構成によれば、コンテンツの編集処理においてユーザーが複数の削除シーンを同時に指定した後、ユーザがコンテンツの更新（削除実行命令の発効）を行うことにより、選択されていた複数の削除シーンが一括して削除され、残ったシーンによりコンテンツ内容が更新される。このため、ユーザーは選択しいてる複数の削除シーンに対して個別に削除実行命令を発行する必要がなく、ユーザーにかかる作業量が削減されるため、ユーザーにとっての利便性が向上する。
【発明を実施するための最良の形態】
【００２２】
本発明の実施の一形態について、図面に基づいて説明すれば、以下の通りである。
【００２３】
［実施の形態］
〈１．ＤＶＤ内蔵ＨＤＤレコーダの内部構成について〉
ここで、本発明の第一の実施形態におけるＤＶＤ内蔵ＨＤＤレコーダ１０の電気回路システムの要部構成を、図２のブロック図を用いながら説明する。
【００２４】
図４のブロック図に示すように、本発明のＤＶＤ内蔵ＨＤＤレコーダ１０には、テレビ等の表示装置１１やビデオデッキ等の外部装置１２が接続される。またＨＤＤ一体型光ディスク装置１０は、リモコン１３によって操作可能である。
【００２５】
ＨＤＤ一体型光ディスク装置１０は、テレビ放送信号を受信するアンテナ１５と、アンテナ１５で受信したテレビ放送信号を復調、デジタル化するチューナ１６と、チューナ１６から受け取った画像音声データをＭＰＥＧ２等に準拠して圧縮符号化したり、ＨＤＤ記録再生部１８又はＤＶＤ記録再生部１９で再生された圧縮された画像データを伸長復号したりする画像音声圧縮伸長部１７と、画像音声圧縮伸長部１７から受け取った圧縮された画像音声データを記録したり、記録されたデータを再生したりするＨＤＤ記録再生部１８と、画像音声圧縮伸長部１７から受け取った圧縮された画像音声データを挿入されたＤＶＤに記録したり、ＤＶＤに記録されたデータを再生したりするＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２６】
また、制御部２６は、記録媒体であるＤＶＤやＨＤＤに記録された所定のタイトルから所望のシーンを削除する際の編集モードの制御も行う。以下に編集モードにおける処理工程について説明する。
【００２７】
〈２．編集処理工程について〉
ここで、本発明のＤＶＤ内蔵ＨＤＤレコーダ１０における映像及び音声データの編集処理工程を、図１のフロー図と、図２および図３のブロック図と、図４から図８の画面図とを用いながら説明する。
【００２８】
図１は、本発明のシーン編集処理の処理フローを示したフローチャートである。図３は、本発明のシーン編集処理におけるシーン削除処理実行時のデータの変化を示したブロック図である。図３の（ａ）において、矢印αで示されている範囲が、シーン削除前のコンテンツデータの長さである。この状態から図３の（ｂ１）に示すように、データの一部（矢印β１で示されている範囲）が削除対象として指定される。さらに追加でデータの一部を削除したい場合、図３の（ｂ２）に示すように、データの一部（矢印β２で示されている範囲）が削除対象として追加指定される。指定された範囲のデータ（β１およびβ２）は一括消去され、結果として図３の（ｃ）に矢印γで示す長さのデータとなる（なお、γ＝α−（β１＋β２）である）。
【００２９】
また図４から図８は、本発明のシーン編集処理を行うシーン編集画面の一例を示した画面図である。図４から図８までの画面遷移に関わる処理を、図１のフローチャートを用いて説明する。動画表示画面Ａ１には、編集対象のコンテンツの再生映像が表示される。処理開始当初は、再生位置カーソルＢ１はコンテンツ先頭に位置するように設定されている（Ｓ１０）。コンテンツの再生が進むと共に、再生位置カーソルＢ１が時間スケールＢ２の範囲内で右方向へ移動し、図４の状態となる。なお、再生しているコンテンツに対して早送り、或いは巻き戻しの指示を行うことにより、再生位置カーソルＢ１を右方向、或いは左方向に対して倍速移動させることが可能である。
【００３０】
図４において、コンテンツの再生中、もしくは再生一時停止中において削除開始位置指定ボタンＣ１が押下された（Ｓ２０のStart Point）場合、再生位置カーソルＢ１の現在位置が削除シーンの始点（削除開始位置Ｄ１）として設定される（Ｓ３０）。削除開始位置指定ボタンＣ１が押下されたことにより、シーン編集画面は図５に示す状態に遷移する。
【００３１】
なお図４において、シーン削除キャンセルボタンＣ２が押下された（Ｓ２０のReturn）場合、前記削除開始位置を破棄して、シーン編集処理を強制終了する。後続の各画面においても、シーン削除キャンセルボタンＣ２が押下された場合は（例えばＳ４０のReturn）、編集中の情報を破棄して本処理を強制終了するものとする。
【００３２】
図５においては、新たに削除開始位置キャンセルボタンＣ３と、削除終了位置指定ボタンＣ４が選択可能となっている。
【００３３】
図５において、削除開始位置キャンセルボタンＣ３が押下された（Ｓ４０のStart Point Cancel）場合、前記の削除開始位置Ｄ１がキャンセル（消去）される（Ｓ４１）。削除開始位置Ｄ１が消去された場合、シーン選択画面は再び図４に示す状態（Ｓ２０）に遷移する。
【００３４】
また図５において、削除終了位置指定ボタンＣ４が押下された（Ｓ４０のEnd Point）場合、再生位置カーソルＢ１の現在位置が削除シーンの終点（削除終了位置Ｄ２）として設定される（Ｓ５０）。削除終了位置指定ボタンＣ４が押下されたことにより、シーン編集画面は図６に示す状態に遷移する。
【００３５】
図６においては、決定された削除対象範囲β１（削除開始位置Ｄ１から削除終了位置Ｄ２までの範囲）が表示されるとともに、削除開始位置指定ボタンＣ１に加え、新たにシーン削除実行ボタンＣ５と、削除終了位置キャンセルボタンＣ６が選択可能となっている（Ｓ６０）。
【００３６】
図６において、削除終了位置キャンセルボタンＣ６が押下された（Ｓ６０のEnd Delete）場合、前記の削除終了位置Ｄ２がキャンセル（消去）される（Ｓ６１）。削除終了位置Ｄ２が消去された場合、シーン選択画面は再び図５に示す状態（Ｓ４０）に遷移する。
【００３７】
また図６において、シーン削除実行ボタンＣ５が押下された（Ｓ６０のUpdat）場合、削除対象範囲β１のシーンが消去され、コンテンツのアップデート（更新）が行われる（Ｓ１１０）。更新が行われた場合、本処理は終了する（Ｓ１１０）。
【００３８】
また図６において、削除開始位置指定ボタンＣ１が押下された（Ｓ６０のStart Point）場合、再生位置カーソルＢ１の現在位置が二つめの削除シーンの始点（削除開始位置Ｄ３）として追加設定される（Ｓ７０）とともに、図７に示す状態に遷移する。
【００３９】
図７においては、削除開始位置キャンセルボタンＣ３、削除終了位置指定ボタンＣ４、およびシーン削除実行ボタンＣ５が選択可能となっている。
【００４０】
図７において、削除開始位置キャンセルボタンＣ３が押下された（Ｓ８０のStart Point Cancel）場合、前記の削除開始位置Ｄ１がキャンセル（消去）される（Ｓ８１）。削除開始位置Ｄ１が消去された場合、現在記憶している削除対象範囲が一つ以上存在するかの確認を行う（Ｓ８２）。削除対象範囲が一つ以上存在する場合（例えば図７に示すように削除対象範囲β１が存在する場合）、シーン選択画面は再び図６に示す状態（Ｓ６０）に遷移する。削除対象範囲が存在しない場合、シーン選択画面は再び図４に示す状態（Ｓ２０）に遷移する。
【００４１】
また図７において、シーン削除実行ボタンＣ５が押下された（Ｓ８０のUpdat）場合、前記の削除開始位置Ｄ３の消去がおこなれるとともに、削除対象範囲β１のシーンの消去及びコンテンツのアップデート（更新）が行なわれる（Ｓ１１０）。更新が行われた場合、本処理は終了する。
【００４２】
また図７において、削除終了位置指定ボタンＣ４が押下された（Ｓ８０のEnd Point）場合、再生位置カーソルＢ１の現在位置が削除シーンの終点（削除終了位置Ｄ４）として設定される（Ｓ９０）。削除終了位置指定ボタンＣ４が押下されたことにより、シーン編集画面は図８に示す状態に遷移する。
【００４３】
図８においては、決定された削除対象範囲β２（削除開始位置Ｄ３から削除終了位置Ｄ４までの範囲）が表示されるとともに、削除開始位置指定ボタンＣ１、シーン削除実行ボタンＣ５、および削除終了位置キャンセルボタンＣ６が選択可能となる（Ｓ１００）。
【００４４】
図８において、削除終了位置キャンセルボタンＣ６が押下された（Ｓ１００のEnd Delete）場合、前記の削除終了位置Ｄ４がキャンセル（消去）される（Ｓ１０１）。削除終了位置Ｄ４が消去された場合、現在記憶している削除対象範囲が一つ以上存在するかの確認を行う（Ｓ１０２）。削除対象範囲が一つ以上存在する場合（例えば図７に示すように削除対象範囲β１が存在する場合）、シーン選択画面は再び図７に示す状態（Ｓ８０）に遷移する。削除対象範囲が存在しない場合、シーン選択画面は再び図５に示す状態（Ｓ４０）に遷移する。
【００４５】
また図８において、シーン削除実行ボタンＣ５が押下された（Ｓ１００のUpdat）場合、削除対象範囲（図８の例では削除対象範囲β１及び削除対象範囲β２）のシーンの消去及びコンテンツのアップデート（更新）が行なわれる（Ｓ１１０）。更新が行われた場合、本処理は終了する。
【００４６】
また図８において、削除開始位置指定ボタンＣ１が押下された（Ｓ１００のStart Point）場合、再生位置カーソルＢ１の現在位置が三つめの削除シーンの始点（削除開始位置Ｄ５）として追加設定される（Ｓ７０）とともに、図７に示す状態（Ｓ８０）に遷移し、繰り返し削除対象範囲の指定操作を行う。
【００４７】
［その他の実施の形態］
以上、好ましい実施の形態及び実施例をあげて本発明を説明したが、本発明は必ずしも上記実施の形態及び実施例に限定されるものではなく、その技術的思想の範囲内において様々に変形して実施することができる。
【００４８】
例えば前述した実施形態の機能を実現するソフトウェアのプログラムコードを記録した記憶媒体を、ＤＶＤ内蔵ＨＤＤレコーダ１０に供給し、そのＤＶＤ内蔵ＨＤＤレコーダ１０内のコンピュータ（例えばＣＰＵ）が記憶媒体に格納されたプログラムコードを読出し実行することによっても、達成されることは言うまでもない。
【００４９】
この場合、記憶媒体から読出されたプログラムコード自体が、前述した実施形態の機能を実現することになり、そのプログラムコードを記憶した記憶媒体は本発明を構成することになる。
【００５０】
なお、プログラムコードを供給するための記憶媒体としては、例えば、フロッピディスク、ＨＤＤ、光ディスク、光磁気ディスク、ＣＤ−ＲＯＭ、ＣＤ−Ｒ、磁気テープ、不揮発性のメモリカード、ＲＯＭなどを用いることができる。
【００５１】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００５２】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００５３】
また、本発明の映像情報処理方法が、ＤＶＤ内蔵ＨＤＤレコーダ以外の記録媒体再生装置において用いられたとしても、同様の効果がえられることは言うまでもない。なお、記録媒体再生装置としては、例えばＨＤＤレコーダ、ＤＶＤレコーダ、ビデオテープレコーダ（ＶＴＲ）、ＤＶレコーダ、パソコン、デジタルビデオカメラなどが挙げられる。
【図面の簡単な説明】
【００５４】
【図１】本発明のＤＶＤ内蔵ＨＤＤレコーダによるシーン編集処理の処理フロー図である。
【図２】本発明のＤＶＤ内蔵ＨＤＤレコーダの電気回路の要部構成を示したブロック図である。
【図３】本発明のＤＶＤ内蔵ＨＤＤレコーダにおける編集データの構造を示したブロック図である。
【図４】本発明のＤＶＤ内蔵ＨＤＤレコーダにおけるシーン編集画面の一例を示した画面図である。
【図５】本発明のＤＶＤ内蔵ＨＤＤレコーダにおけるシーン編集画面の一例を示した画面図である。
【図６】本発明のＤＶＤ内蔵ＨＤＤレコーダにおけるシーン編集画面の一例を示した画面図である。
【図７】本発明のＤＶＤ内蔵ＨＤＤレコーダにおけるシーン編集画面の一例を示した画面図である。
【図８】本発明のＤＶＤ内蔵ＨＤＤレコーダにおけるシーン編集画面の一例を示した画面図である。
【図９】従来のＤＶＤ内蔵ＨＤＤレコーダによるシーン編集処理の処理フロー図である。
【図１０】従来のＤＶＤ内蔵ＨＤＤレコーダにおける編集データの構造を示したブロック図である。
【図１１】従来のＤＶＤ内蔵ＨＤＤレコーダにおけるシーン編集画面の一例を示した画面図である。
【図１２】従来のＤＶＤ内蔵ＨＤＤレコーダにおけるシーン編集画面の一例を示した画面図である。
【図１３】従来のＤＶＤ内蔵ＨＤＤレコーダにおけるシーン編集画面の一例を示した画面図である。
【符号の説明】
【００５５】
１０    ＤＶＤ内蔵ＨＤＤレコーダ（記録媒体再生装置）
１１    表示装置
１２    外部装置
１３    リモコン
１６    チューナー
１８    ＨＤＤ記録再生部
１９    ＤＶＤ記録再生部
２３    メモリ
２６    制御部
【図１】
2007179658.tif 000003
【図２】
2007179658.tif 000004
【図３】
2007179658.tif 000005
【図４】
2007179658.tif 000006
【図５】
2007179658.tif 000007
【図６】
2007179658.tif 000008
【図７】
2007179658.tif 000009
【図８】
2007179658.tif 000010
【図９】
2007179658.tif 000011
【図１０】
2007179658.tif 000012
【図１１】
2007179658.tif 000013
【図１２】
2007179658.tif 000014
【図１３】
2007179658.tif 000015